(57)【要約】【課題】ドアＩＤをセキュリティ性よく管理することができるドア錠制御システムを提供する。【解決手段】建物１の第１ドア２ａに電子キー４を登録すると、電子キーＩＤ及びドアＩＤの組が第１ドア２ａ及び電子キー４に書き込まれる。このとき、通信線１１を通じて連結された他の第２ドア２ｂ〜第４ドア２ｄにも、同様の電子キーＩＤ及びドアＩＤの組が書き込まれることにより、１つの電子キー４が複数の第１ドア２ａ〜第４ドア２ｄで共用可能となる。ドア２の連結を監視し、通信線１１による第１ドア２ａ〜第４ドア２ｄの連結が解除されたとき、登録時に書き込まれたドアＩＤを第２ドア２ｂ〜第４ドア２ｄから消去する。【選択図】図１
2015206213.tif 000002
【特許請求の範囲】
【請求項１】
建物のドアに設けられたドア錠を電子キーによって無線により作動させるとき、前記ドアを識別し得るドアＩＤの照合と、前記電子キーを識別し得る電子キーＩＤの照合とが課され、これら照合が成立するか否かを確認した上で前記ドア錠を作動するドア錠制御システムにおいて、
通信線を通じて電気的に連結された複数のドアのうち、ある１つのドアに電子キーを登録するとき、当該電子キーの電子キーＩＤと、いま電子キーを登録しようとしているドアのドアＩＤとを、前記通信線を通じて他のドアにも登録することにより、当該電子キーを複数の前記ドアで共用可能にする登録実行部と、
前記連結が解除されたか否かを監視する解除監視部と、
前記連結が解除されたとき、前記登録によって前記ドアに設定された前記ドアＩＤを消去するＩＤ管理部と
を備えたことを特徴とするドア錠制御システム。
【請求項２】
前記ＩＤ管理部は、前記連結が解除されたとき、前記ドアＩＤを登録前の元のドアＩＤに戻す
ことを特徴とする請求項１に記載のドア錠制御システム。
【請求項３】
前記ＩＤ管理部は、前記連結が解除された後に前記ドアが再度連結されても、前に登録された前記ドアＩＤを復帰させない
ことを特徴とする請求項１又は２に記載のドア錠制御システム。
【請求項４】
前記解除監視部は、それぞれの前記ドアに設けられ、前記ドア錠の作動を管理するドア制御部に設けられた通信線接続ポートの電圧を監視することにより、前記連結が解除されたか否かを判断する
ことを特徴とする請求項１〜３のうちいずれか一項に記載のドア錠制御システム。
【発明の詳細な説明】
【技術分野】
【０００１】
本発明は、ドア錠の作動を制御するドア錠制御システムに関する。
【背景技術】
【０００２】
従来、建物のドアに設けられたドア錠を電子キーによって無線により作動可能なドア錠制御システムが周知である（特許文献１等参照）。この種のドア錠制御システムにおいては、建物及び電子キーの間で無線によるＩＤ照合が実行される。このＩＤ照合としては、例えば電子キーに登録された電子キーＩＤの正当性を確認する電子キーＩＤ照合と、ドアに登録されたドアＩＤの正当性を確認するドアＩＤ照合とを、両方実行する態様が知られている。
【先行技術文献】
【特許文献】
【０００３】
【特許文献１】特開２００７−１６２３１０号公報
【発明の概要】
【発明が解決しようとする課題】
【０００４】
図５に示すように、この種のドア錠制御システム８１では、建物に設けられた複数のドア８２ａ，８２ｂ，８２ｃ，８２ｄを通信線８３で接続しておき、例えば１つのドア８２ａに電子キー８４を登録すると、この電子キー８４が他のドア８２ｂ〜８２ｄにも自動的に登録される技術が検討されている。具体的にいうと、電子キー８４に書き込まれている電子キーＩＤをドア８２ａに登録し、ドア８２ａに書き込まれているドアＩＤを電子キー８４に登録する。そして、ドア８２ａに登録された電子キーＩＤ及びドアＩＤを、通信線８３を通じて各ドア８２ｂ〜８２ｄに登録することにより、１つの電子キー８４の複数のドア８２ａ〜８２ｄで共用可能にする。この技術を採用すれば、１回の登録作業によって、複数のドア８２ａ〜８２ｄに電子キー８４を登録することができるので、登録作業が楽になる利点がある。
【０００５】
しかし、この場合、同じ電子キーＩＤ及びドアＩＤを持ったドア８２ａ〜８２ｄが複数存在することになるので、ドアＩＤを管理する点において、セキュリティ性がよくないという問題があった。よって、登録の利便性を維持しつつ、ドアＩＤのセキュリティ性も確保したいニーズがあった。
【０００６】
本発明の目的は、ドアＩＤをセキュリティ性よく管理することができるドア錠制御システムを提供することにある。
【課題を解決するための手段】
【０００７】
前記問題点を解決するドア錠制御システムは、建物のドアに設けられたドア錠を電子キーによって無線により作動させるとき、前記ドアを識別し得るドアＩＤの照合と、前記電子キーを識別し得る電子キーＩＤの照合とが課され、これら照合が成立するか否かを確認した上で前記ドア錠を作動する構成において、通信線を通じて電気的に連結された複数のドアのうち、ある１つのドアに電子キーを登録するとき、当該電子キーの電子キーＩＤと、いま電子キーを登録しようとしているドアのドアＩＤとを、前記通信線を通じて他のドアにも登録することにより、当該電子キーを複数の前記ドアで共用可能にする登録実行部と、前記連結が解除されたか否かを監視する解除監視部と、前記連結が解除されたとき、前記登録によって前記ドアに設定された前記ドアＩＤを消去するＩＤ管理部とを備えた。
【０００８】
本構成によれば、電子キーをドアに登録するにあたり、電子キーＩＤ及びドアＩＤを組にして電子キー及びドアに登録するとともに、電子キーＩＤ及びドアＩＤの組を、通信線を通じて連結された他のドアにも書き込むことにより、１つの電子キーを複数のドアで共用可能にする。また、通信線によるドアの連結が解除されたとき、登録時に書き込まれたドアＩＤを消去する。よって、登録時に書き込んだドアＩＤをそのまま放置せずに済むので、ドアＩＤをセキュリティ性よく管理することが可能となる。
【０００９】
前記ドア錠制御システムにおいて、前記ＩＤ管理部は、前記連結が解除されたとき、前記ドアＩＤを登録前の元のドアＩＤに戻すことが好ましい。この構成によれば、ドアの連結を解除した後は、元のドアＩＤを再度使用することが可能となる。
【００１０】
前記ドア錠制御システムにおいて、前記ＩＤ管理部は、前記連結が解除された後に前記ドアが再度連結されても、前に登録された前記ドアＩＤを復帰させないことが好ましい。この構成によれば、ドアの連結を解除した後にドアを再度連結しても、ドアＩＤは元のものに復帰しないので、例えば第三者等によるドアＩＤの不正取得に対してセキュリティ性を確保することが可能となる。
【００１１】
前記ドア錠制御システムにおいて、前記解除監視部は、それぞれの前記ドアに設けられ、前記ドア錠の作動を管理するドア制御部に設けられた通信線接続ポートの電圧を監視することにより、前記連結が解除されたか否かを判断することが好ましい。この構成によれば、ドアの連結が解除されたか否かを簡素に判定することが可能となる。
【発明の効果】
【００１２】
本発明によれば、ドアＩＤをセキュリティ性よく管理することができる。
【図面の簡単な説明】
【００１３】
【図１】一実施形態のドア錠制御システムの構成図。
【図２】電子キーをドアに登録する前の電子キー及びドアの状態図。
【図３】電子キーをドアに登録するときの動作概要図。
【図４】ドアの連結が解除されたときの動作概要図。
【図５】電子キーをドアに登録する一例を示す動作概要図。
【発明を実施するための形態】
【００１４】
以下、ドア錠制御システムの一実施形態を図１〜図４に従って説明する。
建物１は、建物１のドア２に設けられたドア錠３を電子キー４によって無線により作動可能なドア錠制御システム５を備える。ドア錠制御システム５は、例えば狭い通信エリア下で建物１からの通信を契機にＩＤ照合を実行してドア錠３を制御するキー操作フリーシステムであることが好ましい。ドア錠制御システム５は、例えばドア錠３の施錠及び解錠の両方を制御するものであるとよい。
【００１５】
なお、以降は、キー操作フリーシステムによるドア錠３の操作を「キーフリー操作」と記す。また、キー操作フリーシステムの通信を「スマート通信」と記し、その通信で実施されるＩＤ照合を「スマート照合」と記す。
【００１６】
キー操作フリーシステムの通信は、例えば建物１→電子キー４の通信がＬＦ（Low Frequency）帯の電波、電子キー４→建物１の通信がＵＨＦ（Ultra High Frequency）帯の電波を使用した双方向の狭域通信（通信距離：数ｍ）であるとよい。キーフリー操作は、例えば電子キー４を操作しなくても、キー操作フリーシステムに準じたスマート照合が成立すれば、ドア錠３の作動が許可又は実行される操作である。
【００１７】
電子キー４は、電子キー４の動作を制御するキー制御部６と、電子キー４において電波を受信する受信アンテナ７と、電子キー４において電波を送信する送信アンテナ８とを備える。キー制御部６のメモリ９には、電子キー４の固有ＩＤである電子キーＩＤと、各ドア２に割り振られたドアＩＤと、スマート照合時に使用する暗号鍵１０とが書き込み保存されている。受信アンテナ７は、例えばＬＦ電波を受信する。送信アンテナ８は、例えばＵＨＦ電波を送信する。
【００１８】
ドア２は、例えば１つ又は複数の建物１において複数（本例は４つ）設けられている。本例の場合、これらドア２を第１ドア２ａ、第２ドア２ｂ、第３ドア２ｃ及び第４ドア２ｄと記す。これら第１ドア２ａ〜第４ドア２ｄは、建物１に設けられた通信線１１によって連結されている。これにより、第１ドア２ａ〜第４ドア２ｄは、通信線１１を通じて各種信号の送受信が可能となっている。通信線１１は、例えばＬＡＮ（Local Area Network）であるとよい。
【００１９】
ドア錠制御システム５は、前述のドア錠３と、ドア２の動作を制御するドア制御部１２と、ドア２の周囲に電波を送信する送信アンテナ１３と、ドア２の周囲で電波を受信する受信アンテナ１４とを備える。ドア制御部１２のメモリ１５には、ドア２に登録された電子キーＩＤと、各ドア２を識別可能なドアＩＤと、スマート照合時に使用する暗号鍵１６とが書き込み保存されている。送信アンテナ１３は、例えばＬＦ電波を送信する。受信アンテナ１４は、例えばＵＨＦ電波を受信する。送信アンテナ１３及び受信アンテナ１４は、例えば建物１の壁に配設されてもよい。ドア錠３は、例えばアクチュエータを駆動源にデッドボルトを出し入れする電気錠であるとよい。ドア制御部１２は、例えば基板上にＩＣ及びスイッチの素子類が実装された制御盤であるとよい。
【００２０】
電子キー４が所定ドア２の送信アンテナ１３の通信エリア（スマート通信エリア）に進入すると、スマート通信が実行される。具体的には、送信アンテナ１３から送信されたウェイク信号を電子キー４が受信すると、電子キー４が起動してアックを返信し、続く通信課程において、ドアＩＤ照合、チャレンジレスポンス認証、電子キーＩＤ照合の各種照合を実行する。ドアＩＤ照合は、各ドア２の固有ＩＤであるドアＩＤを電子キー４に送信し、電子キー４にドアＩＤを確認させる照合である。チャレンジレスポンス認証は、送信の度にコードが毎回変わるチャレンジコードをドア２から電子キー４に送信して電子キー４の暗号鍵１０に通し、このレスポンスコードをドア２に返信させ、ドア２において暗号鍵１６により同様に演算したレスポンスコードにより、電子キー４のレスポンスコードの正当性を確認する照合である。電子キーＩＤ照合は、電子キー４に登録された電子キーＩＤの正当性をドア２で確認する照合である。ドア制御部１２は、これら照合が全て成立することを確認すると、スマート照合を成立とし、ドア２の施解錠を許可又は実行する。
【００２１】
ドア錠制御システム５は、電子キー４をドア２に登録するときの動作を管理する登録実行部１７を備える。登録実行部１７は、例えばドア制御部１２に設けられる。登録実行部１７は、通信線１１を通じて電気的に連結された複数のドア２のうち、ある１つのドア２に電子キー４を登録するとき、その電子キー４の電子キーＩＤと、いま電子キー４を登録しようとしているドア２のドアＩＤとを、通信線１１を通じて他のドア２にも登録することにより、電子キー４を複数のドア２で共用可能にする。
【００２２】
ドア錠制御システム５は、建物１に設けられた複数のドア２において連結が解除されたか否かを監視する解除監視部１８を備える。解除監視部１８は、例えばドア制御部１２に設けられる。解除監視部１８は、ドア錠３の作動を管理するドア制御部１２に設けられた通信線接続ポート１９の電圧を監視することにより、連結が解除されたか否かを判断するとよい。
【００２３】
ドア錠制御システム５は、ドア２の連結が解除されたとき、キー登録によってドア２に設定されたドアＩＤを消去するＩＤ管理部２０を備える。ＩＤ管理部２０は、例えばドア制御部１２に設けられる。ＩＤ管理部２０は、ドア２の連結が解除されたとき、ドアＩＤをキー登録前の元のドアＩＤに戻すことが好ましい。
【００２４】
次に、図２〜図４を用いて、ドア錠制御システム５の動作を説明する。
［電子キーの登録作業］
図２に、電子キー４をドア２に登録する前のドア２及び電子キー４の概要を図示する。登録作業前の電子キー４は、メモリ９の電子キーＩＤ書き込み領域に「キーＩＤ１」が予め書き込まれ、メモリ９のドアＩＤ書き込み領域が「ブランク」となっている。登録作業前の第１ドア２ａ〜第４ドア２ｄは、メモリ１５ａ，１５ｂ，１５ｃ，１５ｄのドアＩＤ書き込み領域に「ドアＩＤ１」、「ドアＩＤ２」、「ドアＩＤ３」、「ドアＩＤ４」がそれぞれ予め書き込まれ、電子キーＩＤ書き込み領域が「ブランク」となっている。
【００２５】
図３に、電子キー４をドア２に登録するときの動作概要を図示する。ここでは、例えば電子キー４を第１ドア２ａに登録する場合を例にとる。電子キー４を第１ドア２ａに登録するにあたっては、まず第１ドア２ａの動作モードを「登録モード」に切り替える。登録モードへの切り替えは、例えば第１ドア２ａの外壁に設けられた施解錠スイッチ（ドア錠操作部：図示略）を所定の操作パターンで操作したり、ドア制御部１２に設けられた専用のスイッチを操作したりすることにより、実現するとよい。これにより、第１ドア２ａの登録実行部１７（１７ａ）が動作を開始する。
【００２６】
登録実行部１７ａは、登録モードに切り替わると、第１ドア２ａ及び電子キー４の間で、キー操作フリーシステムの通信網を利用した通信（キー登録通信）を実行する。キー登録通信は、例えば登録モードとなったドア制御部１２と電子キー４とが実行可能な通信であって、電子キー４及びドア制御部１２の通信規格が一致するか否かを確認する通信としてもよいし、セキュリティ性を確保するために暗号通信としてもよい。登録実行部１７ａは、このキー登録通信において電子キー４から電子キーＩＤ「キーＩＤ１」を取得すると、この「キーＩＤ１」を自身のメモリ１５ａに書き込む。また、登録実行部１７ａは、このキー登録通信においてドアＩＤ「ドアＩＤ１」を電子キー４に送信することにより、電子キー４に「ドアＩＤ１」をメモリ９に書き込ませる。以上により、電子キー４が第１ドア２ａに登録される。
【００２７】
また、第１ドア２ａに電子キー４の登録が済むと、第１ドア２ａが「マスタドア」となって、第２ドア２ｂ，第３ドア２ｃ及び第４ドア２ｄの「従属ドア」に、電子キー４を登録する作業を実行する。このとき、登録実行部１７ａは、建物１内の通信線１１を通じて、電子キーＩＤ登録要求Ｓdemを第２ドア２ｂ〜第４ドア２ｄに出力する。電子キーＩＤ登録要求Ｓdemには、登録時に第１ドア２ａ及び電子キー４の間で実行されたキー登録通信において取得した電子キーＩＤ「キーＩＤ１」と、第１ドア２ａの固有ＩＤであるドアＩＤ「ドアＩＤ１」と、電子キーＩＤの紐付けを要求するコマンドとが含まれるとよい。
【００２８】
第２ドア２ｂの登録実行部１７ｂは、第１ドア２ａから電子キーＩＤ登録要求Ｓdemを入力すると、これに含まれる「キーＩＤ１」及び「ドアＩＤ１」を自身のメモリ１５ｂに書き込むことにより、電子キー４を第２ドア２ｂに登録する。また、第３ドア２ｃの登録実行部１７ｃと第４ドア２ｄの登録実行部１７ｄとにおいても、電子キーＩＤ登録要求Ｓdemを受け付けることによる同様のキー登録、すなわちメモリ１５ｃ，１５ｄの書き込み作業を実行する。以上により、１つの電子キー４で第１ドア２ａ〜第４ドア２ｄの全てを施解錠することが可能となる。
【００２９】
［ドア連結を解除したときの動作］
図４に示すように、キー登録を行った後、第１ドア２ａ〜第４ドア２ｄの連結が解除されたとする。通信線１１が切断されるなどして連結が解除されたときには、ドア制御部１２において通信線接続ポート１９の電圧が「０」又はその付近の値に変化する。従属ドア（第２ドア２ｂ〜第４ドア２ｃ）の解除監視部１８は、通信線接続ポート１９の電圧が閾値以下になったことを検出すると、ドア連結が解除された旨を通知するドア連結解除通知Ｓｒを、それぞれ対応するＩＤ管理部２０に出力する。すなわち、解除監視部１８ｂがＩＤ管理部２０ｂにドア連結解除通知Ｓｒを出力し、解除監視部１８ｃがＩＤ管理部２０ｃにドア連結解除通知Ｓｒを出力し、解除監視部１８ｄがＩＤ管理部２０ｄにドア連結解除通知Ｓｒを出力する。
【００３０】
従属ドア（第２ドア２ｂ〜第４ドア２ｄ）のＩＤ管理部２０ｂ〜２０ｄは、ペアをなす解除監視部１８ｂ〜１８ｄからドア連結解除通知Ｓｒを各々入力すると、これをトリガに、ドアＩＤを連結前の元のドアＩＤに戻す。具体的にいうと、第２ドア２ｂのドアＩＤが元の「ドアＩＤ２」に戻され、第３ドア２ｃのドアＩＤが元の「ドアＩＤ３」に戻され、第４ドア２ｄのドアＩＤが元の「ドアＩＤ４」に戻される。これにより、連結解除後は、第１ドア２ａに登録した電子キー４では第２ドア２ｂ〜第４ドア２ｄを施解錠できなくなり、不正な施解錠に対してセキュリティ性が確保される。
【００３１】
ＩＤ管理部２０（２０ｂ〜２０ｄ）は、ドア２の連結が解除された後に、これらドア２が再度連結されても、前に登録されていたドアＩＤを復帰させない。すなわち、連結解除後、ドア２を再度連結しても、従属ドア（第２ドア２ｂ〜第４ドア２ｄ）のドアＩＤを、マスタドア（第１ドア２ａ）のドアＩＤに戻さないようにすることが好ましい。このように、ドアＩＤの再発行を不可とすれば、ドアＩＤの管理についてセキュリティ性を確保するのに一層有利となる。
【００３２】
本実施形態の構成によれば、以下に記載の効果を得ることができる。
（１）電子キー４をドアに登録するにあたり、電子キーＩＤ及びドアＩＤを組にして第１ドア２ａ及び電子キー４に登録するとともに、その電子キーＩＤ及びドアＩＤの組を、通信線１１を通じて連結された他のドア２ｂ〜２ｄにも書き込むことにより、１つの電子キー４を複数の第１ドア２ａ〜第４ドア２ｄで共用可能にする。また、通信線１１による第１ドア２ａ〜第４ドア２ｄの連結が解除されたとき、登録時に書き込まれたドアＩＤを第２ドア２ｂ〜第４ドア２ｄから消去する。よって、登録時に書き込んだドアＩＤをそのまま放置せずに済むので、ドアＩＤをセキュリティ性よく管理することができる。
【００３３】
（２）ドア２の連結が解除されたとき、各ドア２に書き込まれたドアＩＤは、キー登録前のドアＩＤにそれぞれ戻される。よって、ドア２の連結を解除した後は、元のドアＩＤを再度使用することができる。
【００３４】
（３）連結が解除された後にドア２が再度連結されても、過去のキー登録において書き込まれたドアＩＤを復帰させないことも可能とした。よって、例えば第三者等によるドアＩＤの不正取得に対してセキュリティ性を確保できることになる。
【００３５】
（４）ドア２の連結が解除されたか否かは、ドア制御部１２の通信線接続ポート１９の電圧を監視することにより判定するようにした。よって、ドア２の連結が解除されたか否かを簡素に判定することができる。
【００３６】
なお、実施形態はこれまでに述べた構成に限らず、以下の態様に変更してもよい。
・ドア２の連結が解除されたか否かは、例えば通信線１１に連結確認用の専用の配線を設けておき、この配線が切断されたか否かを確認することにより判断してもよい。
【００３７】
・ドア２の連結が解除されたとき、従属ドアのドアＩＤは、元のドアＩＤに戻されないようにすることも可能である。
・ドア制御部１２等の部品群は、ドア２に設けられることに限らず、例えば建物１の外壁など、他の場所に設けられてもよい。
【００３８】
・キー登録は、第１ドア２ａで行われることに限らず、他のドア２、すなわち第２ドア２ｂ〜第４ドア４ｄのいずれでも実行できる。
・キーフリー操作は、例えばＲＦＩＤ（Radio Frequency IDentification）を用いたシステム、近距離無線を用いたシステム、ブルートゥース（Bluetooth：登録商標）を用いたシステムなど、種々の認証システムを採用することができる。
【００３９】
・キーフリー操作は、建物１からの通信を契機に実施されるＩＤ照合が課された操作であればよい。
・建物１側の送信アンテナ１３は、ドア２に設けられることに限らず、例えば建物１の壁など、他の位置に配置可能である。
【００４０】
・スマート通信エリアは、例えば建物１に室外送信アンテナ及び室内送信アンテナをそれぞれ設けることにより、各アンテナによって別々のエリアから形成されてもよい。
・建物１に室外送信アンテナ及び室内送信アンテナを設ける場合、これらのうち一方のみ設けられる態様をとってもよい。ちなみに、この場合は、電子キー４が室外にあるか否かを判定する室外判定、又は電子キー４が室内にあるか否かを判定する室内判定の一方のみ実施することができる。
【００４１】
・ＩＤ照合の電波の周波数は、ＬＦやＵＨＦ以外の他の周波数に変更可能である。
・電子キー４は、キー専用の端末に限定されず、例えばキー機能を有する高機能携帯電話等の携帯端末としてもよい。
【００４２】
・建物１側のアンテナは、送信と受信とで分かれていることに限らず、送受信の両方が可能な１本のアンテナとしてもよい。
・建物１は、１つであることに限らず、複数設けられてもよい。
【００４３】
次に、上記実施形態及び別例から把握できる技術的思想について、それらの効果とともに以下に追記する。
（イ）前記ドア錠制御システムにおいて、前記登録実行部は、複数の前記ドアのうち、前記電子キーの登録が実行されたドアをマスタドアとして設定し、他のドアを従属ドアとして設定する。この構成によれば、各ドアを順位付けすることが可能となるので、各ドアの管理がし易くなる。
【符号の説明】
【００４４】
１…建物、２（２ａ〜２ｄ）…ドア、３…ドア錠、４…電子キー、５…ドア錠制御システム、１１…通信線、１２…ドア制御部、１７（１７ａ〜１７ｄ）…登録実行部、１８（１８ｂ〜１８ｄ）…解除監視部、１９…通信線接続ポート、２０（２０ｂ〜２０ｄ）…ＩＤ管理部。
【図１】
2015206213.tif 000003
【図２】
2015206213.tif 000004
【図３】
2015206213.tif 000005
【図４】
2015206213.tif 000006
【図５】
2015206213.tif 000007
【手続補正書】
【提出日】平成27年4月15日(2015.4.15)
【手続補正１】
【補正対象書類名】特許請求の範囲
【補正対象項目名】請求項１
【補正方法】変更
【補正の内容】
【請求項１】
建物のドアに設けられたドア錠を電子キーによって無線により作動させるとき、前記ドアを識別し得るドアＩＤの照合と、前記電子キーを識別し得る電子キーＩＤの照合とが課され、これら照合が成立するか否かを確認した上で前記ドア錠を作動するドア錠制御システムにおいて、
通信線を通じて電気的に連結された複数のドアのうち、ある１つのドアへの電子キーの登録を、当該電子キーの電子キーＩＤを前記ドアに登録することと、いま電子キーを登録しようとしているドアのドアＩＤを前記電子キーに登録することとによって行い、これらＩＤの組を、前記通信線を通じて他のドアにも登録することにより、当該電子キーを複数の前記ドアで共用可能にする登録実行部と、
前記連結が解除されたか否かを監視する解除監視部と、
前記連結が解除されたとき、前記登録によって前記ドアに設定された前記ドアＩＤを消去するＩＤ管理部と
を備えたことを特徴とするドア錠制御システム。
【手続補正２】
【補正対象書類名】明細書
【補正対象項目名】０００７
【補正方法】変更
【補正の内容】
【０００７】
前記問題点を解決するドア錠制御システムは、建物のドアに設けられたドア錠を電子キーによって無線により作動させるとき、前記ドアを識別し得るドアＩＤの照合と、前記電子キーを識別し得る電子キーＩＤの照合とが課され、これら照合が成立するか否かを確認した上で前記ドア錠を作動する構成において、通信線を通じて電気的に連結された複数のドアのうち、ある１つのドアへの電子キーの登録を、当該電子キーの電子キーＩＤを前記ドアに登録することと、いま電子キーを登録しようとしているドアのドアＩＤを前記電子キーに登録することとによって行い、これらＩＤの組を、前記通信線を通じて他のドアにも登録することにより、当該電子キーを複数の前記ドアで共用可能にする登録実行部と、前記連結が解除されたか否かを監視する解除監視部と、前記連結が解除されたとき、前記登録によって前記ドアに設定された前記ドアＩＤを消去するＩＤ管理部とを備えた。